(57)【要約】      （修正有）【課題】道具の弾性グリップのグリップ機能および審美的外観を改善した方法または手段を提供する。【解決手段】隆起した部分のパターン１４を有して、手触り感のある隆起部１６の表面を備えた道具のハンドル１２用の弾性を有する成形グリップ１０である。隆起した手触り部は、中間の滑らかな部分の上方に０．５ｍｍ〜２ｍｍの範囲で広がっている。各隆起部１６の面積は、中間の領域の面積の１００〜２００パーセント（％）の範囲である。隆起部のパターンは、例えば、多角形、円形、長円形および楕円形のパターンを含むことができる。弾性グリップを製造する方法は、成形型で隆起部１６を形成するステップと、成形型から取り外した後に、隆起部１６に手触り面を形成するステップを含む。【選択図】図１
2012143540.tif 000002
【特許請求の範囲】
【請求項１】
弾性材料から形成された筒状部材を含む道具のハンドル用の成形グリップであって、
該筒状部材は、
（ａ）道具のハンドルを収容する開口端部と、
（ｂ）前記開口から離れた閉鎖端部と、
（ｃ）手触り面を有する複数の間隔をあけた隆起面と、隆起した部分の間に介在された手触り面のない表面と、を一体に有するように形成された外周の少なくとも一部と、
を備える道具のハンドル用の成形グリップ。
【請求項２】
前記手触り面は、成形後のバフ仕上げによって形成される請求項１に記載のグリップ。
【請求項３】
前記隆起面は、筒状グリップの周囲に含まれる請求項１に記載のグリップ。
【請求項４】
前記隆起した部分は、約０．５ｍｍ〜約２ｍｍの範囲で隆起している請求項１に記載のグリップ。
【請求項５】
前記隆起面は、各隆起面の面積が、中間の表面の面積の約１００〜２００パーセント（％）の範囲のパターンで配置されている請求項１に記載のグリップ。
【請求項６】
部分的に手触り面を有する弾性グリップを製造する方法であって、該方法は、
（ａ）成形型を準備して、グリップの隆起部のパターンを形成するために、成形型の表面を形成するステップと、
（ｂ）成形型でグリップを成形し、かつ、硬化させて、硬化したグリップを成形型から取り除くステップと、
（ｃ）硬化したグリップの隆起部の表面に手触り面を形成するステップと、
を含む部分的に手触り面を有する弾性グリップの製造方法。
【請求項７】
前記成形型の表面を形成するステップは、グリップ上に、約０．５ｍｍ〜２ｍｍの範囲の隆起した隆起面を形成するために、成形型の表面を形成するステップを含む請求項６に記載の方法。
【請求項８】
前記手触り面を形成するステップは、グリップの隆起面をバフ仕上げするステップを含む請求項６に記載の方法。
【請求項９】
前記成形型の表面を形成するステップは、グリップ上に、該グリップの周囲を取り囲むように隆起面のパターンを形成するステップを含む請求項６に記載の方法。
【請求項１０】
前記成形型の表面を形成するステップは、各隆起面の面積が、各隆起面の間の表面の約１００〜２００パーセント（％）の範囲のパターンで、グリップ上に隆起面のパターンを形成するステップを含む請求項６に記載の方法。
【請求項１１】
パターンを形成するために前記成形型の表面を形成するステップは、光沢面を有するパターンを形成するために、前記成形型の表面を形成するステップを含む請求項６に記載の方法。
【発明の詳細な説明】
【技術分野】
【０００１】
本特許出願は、デヴィッド  キース  ギルによって、２０１０年１２月２日に出願された「部分的に手触り面を備えた弾性グリップ」という名称の仮特許出願第６１／４１８，９６４号の利益を主張するものであり、この仮特許出願は、参照することによってその全体がここに組み込まれる。
【背景技術】
【０００２】
本発明は、道具やスポーツ用具のような衝撃を与えるハンドルに採用されるタイプの弾性グリップに関するものである。弾性グリップは、ハンマー、手斧、斧の柄などのハンドツールの中実ハンドルまたは中空ハンドル、或いは、テニスラケット、ゴルフクラブなどのスポーツ用具の中実ハンドルや中空ハンドルの上に組み付けられる。上述した用途の弾性グリップは、個々に採用される道具のハンドルのグリップ部を保持する手に、弾力感または「ソフト」感を付与するために、ゴム、エラストマー材料、或いは、高可塑化プラスチック材料などの弾性のある材料から成形されている。
【０００３】
従来、弾性のある成形ハンドグリップは、求められるグリップの仕上げや外観に応じて、成形型から手触り感のある表面、または、滑らかな表面すなわち「光沢のある」表面を提供してきた。また、グリップに審美的外観を付与するために、または、装飾的なデザインロゴを提供するために、窪んだパターンすなわち窪んだデザインを備えたグリップ部分を提供することが知られている。
【発明の概要】
【発明が解決しようとする課題】
【０００４】
滑らかなグリップまたは「光沢のある」グリップの長所は、十分に柔軟性のある材料を採用した場合、「粘着」感、すなわち、「ネバネバ」感をユーザーに示すことによって、例えば、ハンマーやゴルフクラブの場合のように、道具を、力とスピードでスウィングして使用する時に、ユーザーの手によるグリップの摩擦保持力を改善することにある。
【０００５】
このように、道具のために弾性グリップのグリップ機能および審美的外観を改善する方法または手段を提供することが要望されている。
【課題を解決するための手段】
【０００６】
本発明は、ゴム、エラストマーまたは高可塑化プラスチックのような弾性のある材料から成形され、表面に、わずかに隆起した交互の領域または分散した領域のパターンを有するタイプの、道具のハンドル用の弾性グリップを開示する。隆起部の表面は、例えば、成形後のバフ仕上げにより、隆起部の間に、滑らかな表面、すなわち、光沢のある表面または艶のある表面の窪んだ領域（スペース）を備えて、手触り感（質感）を持たせる。この隆起した手触り部分は、パターンの窪んだ滑らかな部分の上に、約０．５ｍｍ〜２ｍｍの範囲の量で広がっている。バフ仕上げした隆起部に採用したパターンにより、光沢のある窪み部と感覚的に識別可能なかみ合いを維持すると共に、ユーザーに改善したグリップ特性を提供するために、光沢のある窪み部の面積（領域）の約１００％から２００％の範囲の隆起部が形成される。
【図面の簡単な説明】
【０００７】
【図１】図１は、道具のハンドル上に組み付けられた本発明の弾性グリップの斜視図である。
【図２】図２は、図１のグリップに採用した型押し模様の一バージョンの一部の平面図である。
【図３】図３は、図２の３−３線に沿う断面を示す断面図である。
【図４】図４は、図２の４−４線に沿う断面の一部を示す断面図である。
【図５】図５は、図２の５−５線に沿う断面の一部を示す断面図である。
【図６】図６は、図２の６−６線に沿う断面の一部を示す断面図である。
【図７】図７は、図１のグリップ用の型押し模様の他のバージョンの平面図である。
【図８】図８は、図１のグリップ用の型押し模様の他のバージョンの一部の平面図である。
【図９】図９は、図１のグリップ用の型押し模様の他のバージョンの一部の平面図である。
【図１０】図１０は、図８の１０−１０線に沿う断面の一部を示す断面図である。
【発明を実施するための形態】
【０００８】
図１を参照すると、広く使用されている筒状部材の形態の道具のハンドル１２の端部に組み付けられた弾性グリップ１０が示されている。図１に示すグリップ１０の基端部は閉鎖されるか、或いは、実質的に閉鎖されていることが理解できるであろう。このグリップ１０では、符号１４で示すパターンを採用しており、このパターンは、グリップの表面を連続的に覆っているが、図示を簡略化するために、その一部だけが示されている。このパターンすなわちグリップ１４は、図１では、六角形の形状を有する隆起部１６を有している。隆起部１６の間の領域（スペース）は、六角形の形状のわずかな窪みを有するように示されると共に、網掛けされないで、参照番号１８で表示されている。図１の実施の形態１０で採用されているパターンは図７により詳細に示されており、図７では、隆起部は、六角形状の中心を通過する直線で連結された対向頂部を有する六角形で示されており、この隆起部は、図１の網掛けされている六角形状の領域１６に対応する。この実施の形態では、グリップ１０は、未硬化ゴムまたは硬化可能な材料を、隆起部のパターンを形成するような形状の成形型の表面を有する成形型にインサート（鋳ぐるみ）して、成形型内で硬化させることによって成形される。或いは、六角形以外の多角形形状、例えば、八角形形状を採用することができる。
【０００９】
実際には、グリップ１０は、未硬化ゴムまたは硬化可能な材料を、隆起部のパターンを形成するような形状の成形型の表面を有する成形型に鋳ぐるみして、成形型内で硬化させることによって成形される。隆起部１６の表面は光沢を有するように成形され、続いて、バフ仕上げされ、成形型から取り外された後、グリップ特性を向上させるように型押し仕上げされて、所望の外観が付与される。この実施の形態では、各隆起部１６の面積が各窪み部（スペース）１８の面積の１００〜２００％の範囲にあるように、各パターン１４を形成することで十分であることが分かる。実際には、横断面寸法すなわち幅が２ｍｍから１０ｍｍの範囲で、高さが０．５ｍｍから２ｍｍの範囲の隆起部１６を形成するように、成形型を形成することで十分であることが分かる。
【００１０】
図２〜図６を参照すると、グリップ１０に採用する他の実施の形態のパターンが、符号２０で示されている。このパターンでは、中間の窪み部を有する織物の外観が付与されたほぼ四角形の形状の隆起領域を含んでいる。符号２２で示され、直角に配置されたＸ字状のクロスハッチの小さい正方形の領域が領域２４と領域２６との交差部に形成され、最大量で窪んでいる。参照番号２４で示され間隔をあけた平行線で表示される領域は、編物の外観を有するようにバフ仕上げされた表面を有する隆起部であり、また、参照番号２６で示される部分は、光沢または艶仕上げの窪んだ領域である。参照番号２４で示される領域は、図６において参照文字「ｈ」で示される量だけ、参照番号２６で示される領域から隆起している。実際には、グリップに感覚的に識別可能な触覚を付与するように、寸法「ｈ」は、０．５ｍｍから２ｍｍの範囲で十分であることが分かる。
【００１１】
図４、図５及び図６を参照すると、パターン２０の縦糸（経糸）と横糸（緯糸）の形状の間に四角形を形成する中間領域２２は、手触りのある隆起部２４と窪み部２６の交差部に四角形の部分２２が介在される場合だけ表れるように示されている。実際には、領域２２は、約「ｈ」の深さを有している。
【００１２】
図８を参照すると、図１のグリップ１０用の手触りパターンの他のバージョンが符号３０で示されており、同じ直径の隆起した円形の領域３４の列で形成されたパターンを含んでおり、また、中間の窪んだ領域３２は円形の隆起した領域３４により囲まれている。或いは、円形の隆起した領域は、他の形状、例えば、楕円形または長円形にすることができる。領域３４は、図１０に示された参照文字「ｈ」で示された量だけ表面３２から隆起している。この範囲は上述したとおりである。
【００１３】
この実施の形態では、ほぼ同じ面積の隆起した各領域３４と窪んだ領域３２を形成することで十分であることが分かる。
【００１４】
図９を参照すると、図１のグリップ用の六角形状のパターンの他のバージョンが符号４０で示されており、複数の窪んだ六角形状の領域４２を有しており、各領域４２は、その６つの辺が、参照番号４４で示された対応する六角形状の隆起した部分で取り囲まれている。図９では、隆起した領域４４は、対向する頂部を連結する線で表示されている。この実施の形態では、各隆起した領域４４は、他のバージョンに関連させて説明したように、参照文字「ｈ」で示された量だけ窪んだ部分４２から隆起している。
【００１５】
このように、本発明では、ハンドルを有する道具用の弾性グリップ、特に、大きな力とスピードでスウィングする道具用のグリップについて説明している。このグリップは、ほぼ同じ面積と形状を有し、ほぼ同様の形状の中間部分からわずかに隆起する部分を形成するパターンを有する表面を備えた成形型で成形され、また、隆起した部分の表面は、手の保持を改善するために、例えばバフ仕上げすることによって、手触り感が付与される。表面の隆起した部分は、例えば、円形、長円形、楕円形または多角形等のパターンに形成することができ、また、このパターンは、グリップの周囲を取り囲むようにすることができる。ユーザーは、隆起した部分と光沢または艶のある窪んだ部分を感覚的に識別または感じることができる。この隆起した部分と窪んだ部分が、粘着したまたはネバネバしたグリップ動作を提供する。隆起部分は、光沢または艶のある表面で成形して、成形型から取り外した際に、手触り感のある表面を提供するようにバフ仕上げすることができる。
【００１６】
当然に、上述した詳細な説明を読んで、理解することにより、修正や変更が思い浮かぶであろう。本開示は、添付した請求項の範囲内にある限り、これらの全ての修正や変更、および、これらと同等のものを含むと理解されることを意図するものである。
【符号の説明】
【００１７】
１０  グリップ
１２  道具のハンドル
１４、２０、３０、４０  パターン
１６、２４、３４、４４  隆起部
１８、２６、３２、４２  窪み部
２２  中間部
【図１】
2012143540.tif 000003
【図２】
2012143540.tif 000004
【図３】
2012143540.tif 000005
【図４】
2012143540.tif 000006
【図５】
2012143540.tif 000007
【図６】
2012143540.tif 000008
【図７】
2012143540.tif 000009
【図８】
2012143540.tif 000010
【図９】
2012143540.tif 000011
【図１０】
2012143540.tif 000012
【外国語明細書】
Title of Invention
2012143540.tif 000013
2012143540.tif 000014
2012143540.tif 000015
2012143540.tif 000016
2012143540.tif 000017
2012143540.tif 000018
2012143540.tif 000019
2012143540.tif 000020
2012143540.tif 000021
2012143540.tif 000022
2012143540.tif 000023
2012143540.tif 000024
2012143540.tif 000025